(57)【要約】【課題】狭い空間を有効利用可能な可動家具を提供すること。【解決手段】ベッドを収納・展開自在に設けたベッド収納枠体と、デスクを収納・展開自在に設けたデスク収納枠体とを、枢支部を介して水平方向へ回動自在に連結し、両収納枠体を互いに対向密着させた状態から１８０度開いた状態まで可動自在とした。または、ベッド収納枠体あるいはデスク収納枠体の両端部に、他の収納枠体を枢支部を介して水平方向へそれぞれ回動自在に連結し、他の収納枠体それぞれを、前記ベッド収納枠体あるいはデスク収納枠体に対して対向密着した状態から１８０度開いた状態まで可動自在とする。【選択図】      図８
2004248936.tif 000002
【特許請求の範囲】
【請求項１】
ベッドを収納・展開自在に設けたベッド収納枠体と、デスクを収納・展開自在に設けたデスク収納枠体とを、枢支部を介して水平方向へ回動自在に連結し、両収納枠体を互いに対向密着させた状態から１８０度開いた状態まで可動自在としたことを特徴とする可動式家具。
【請求項２】
ベッド収納枠体あるいはデスク収納枠体の両端部に、他の収納枠体を枢支部を介して水平方向へそれぞれ回動自在に連結し、他の収納枠体それぞれを、前記ベッド収納枠体あるいはデスク収納枠体に対して対向密着した状態から１８０度開いた状態まで可動自在としたことを特徴とする可動式家具。
【請求項３】
２つの他の収納枠体のうち少なくとも一方は、ベッド収納枠体若しくはデスク収納枠体としたことを特徴とする請求項２記載の可動式家具。
【請求項４】
各収納枠体の下面に転動輪を取付けたことを特徴とする請求項１〜３のいずれか１項に記載の可動式家具。
【請求項５】
ベッドとデスクの少なくともいずれか一方を、自動的に収納・展開する駆動手段を具備することを特徴とする請求項１〜４のいずれか１項に記載の可動式家具。
【請求項６】
ベッドの基端をベッド収納枠体の下側位置に枢支連結するとともに、デスクの基端をデスク収納枠体の高さ方向で略中央位置に枢支連結したことを特徴とする請求項１〜５のいずれか１項に記載の可動式家具。
【請求項７】
ベッド収納枠体とデスク収納枠体とを、略互いに直交するように配置し、展開したベッドの上方に、所定間隔をあけてデスクを配置可能としたことを特徴とする請求項１〜６のいずれか１項に記載の可動式家具。
【請求項８】
ベッド収納枠体のベッドと対向する面、若しくはデスク収納枠体のデスクと対向する面の少なくともいずれか一方に、テーブルを収納・展開自在に取付けたことを特徴とする請求項１〜７のいずれか１項に記載の可動式家具。
【請求項９】
各収納枠体に、それぞれ収納棚部を設けたことを特徴とする請求項１〜８のいずれか１項に記載の可動式家具。
【発明の詳細な説明】
【０００１】
【発明の属する技術分野】
この発明は、限られた空間内を有効利用することのできる可動式家具に関するものである。
【０００２】
【従来の技術】
従来、この種の家具として様々な工夫を凝らしたものがあり、例えば梯子で昇降する高床式のベッドを設け、同ベッドの下方に形成される空間内にデスクを配設したものが学生などを対象にして販売されている。
【０００３】
また、家具本体の下方にベッドを家具本体との間に就寝可能な適度な空間を保持させて設け、前記ベッドの全長を複数の部分に分割し、不使用時には分解して前記家具本体の下方に収納できるようにしたものなどがあった（例えば特許文献１を参照。）。
【０００４】
【特許文献１】
特開平５−３４４９２１号公報
【０００５】
【発明が解決しようとする課題】
ところが、上述した従来の家具は狭い空間をある程度有効利用することができるにしても空間を生活全体として利用するには不十分であり、しかも使い勝手としても決して良好とはいえないものであった。
【０００６】
例えば高床式のベッドとデスクとを組合わせた上述の家具は、ベッドを利用するためには梯子が必要であり、デスクを利用するにはやや窮屈であることは否めない。それに、かかる家具を一度室内に配置した場合、これを簡単に移動したりレイアウトを変更したりすることはできない。
【０００７】
また、特許文献１に開示されたベッド付家具にしても、機能的にはベッドと家具とを組合わせただけであり、しかもベッドを使用する場合は組み立てなければならず面倒である。
【０００８】
さらに、ワンルームマンションをはじめ、一つの室内空間を生活空間として有効利用しようとした場合、上述した従来の家具では機能的にも不十分であり、また、ベッドやデスクを利用しない場合はできるだけ空間を広くしたいという要求もあるが、従来の技術では応えることができなかった。
【０００９】
本発明は、上記課題を解決することのできる可動式家具を提供することを目的としている。
【００１０】
【課題を解決するための手段】
上記課題を解決するために、請求項１記載の本発明では、ベッドを収納・展開自在に設けたベッド収納枠体と、デスクを収納・展開自在に設けたデスク収納枠体とを、枢支部を介して水平方向へ回動自在に連結し、両収納枠体を互いに対向密着させた状態から１８０度開いた状態まで可動自在とした。
【００１１】
請求項２記載の本発明では、ベッド収納枠体あるいはデスク収納枠体の両端部に、他の収納枠体を枢支部を介して水平方向へそれぞれ回動自在に連結し、他の収納枠体それぞれを、前記ベッド収納枠体あるいはデスク収納枠体に対して対向密着した状態から１８０度開いた状態まで可動自在とした。
【００１２】
また、請求項３記載の本発明では、前記２つの他の収納枠体のうち少なくとも一方は、ベッド収納枠体若しくはデスク収納枠体とした。
【００１３】
また、請求項４記載の本発明では、前記各収納枠体の下面に転動輪を取付けた。
【００１４】
また、請求項５記載の本発明では、前記ベッドとデスクの少なくともいずれか一方を、自動的に収納・展開する駆動手段を具備することとした。
【００１５】
また、請求項６記載の本発明では、前記ベッドの基端をベッド収納枠体の下側位置に枢支連結するとともに、デスクの基端をデスク収納枠体の高さ方向で略中央位置に枢支連結した。
【００１６】
また、請求項７記載の本発明では、前記ベッド収納枠体とデスク収納枠体とを、略互いに直交するように配置し、展開したベッドの上方に、所定間隔をあけてデスクを配置可能とした。
【００１７】
また、請求項８記載の本発明では、前記ベッド収納枠体のベッドと対向する面、若しくはデスク収納枠体のデスクと対向する面の少なくともいずれか一方に、テーブルを収納・展開自在に取付けた。
【００１８】
さらに、請求項９記載の本発明では、前記各収納枠体に、それぞれ収納棚部を設けた。
【００１９】
【発明の実施の形態】
本発明に係る可動式家具は、ベッドを収納・展開自在に設けたベッド収納枠体と、デスクを収納・展開自在に設けたデスク収納枠体とを、枢支部を介して水平方向へ回動自在に連結し、両収納枠体を互いに対向密着させた状態から１８０度開いた状態まで可動自在としたものである。
【００２０】
すなわち、二種類の収納枠体が家具として使用可能であり、これがあたかも二つ折りの写真立て（所謂ブックミラータイプ）のように、折畳んだ状態と開いた状態とに可動し、開状態と閉状態のいずれの場合でも使用可能な家具である。
【００２１】
しかも、開いた状態については９０度から１８０度の間で使用者が適宜決定することができ、例えば９０度開いて略Ｌ字状に配置しても、１８０度開いて略Ｉ字に配置してもよく、使用者の好みや使い勝手に任せて適宜の配置形態で使用することができる。
【００２２】
したがって、本可動式家具を用いることで、たとえ狭い室内空間であっても、これを生活空間として有効利用することができる。すなわち、ベッド、デスクいずれも使用しない場合、ベッド収納枠体とデスク収納枠体とを重ねた状態にしておけば室内に広い空間が確保できる一方、ベッド収納枠体に収納されていたベッドを展開すれば就寝時に利用でき、さらに必要に応じてデスク収納枠体に収納されているデスクを展開して使用することができる。このように、狭い室内空間であっても通常は空間を最大限に利用しながら必要な機能を必要なときに利用することができる。また、ベッド、デスクいずれも展開した状態に維持しておくこともでき、ベッドとデスクとが備えられた部屋となって、たとえば子供部屋（勉強部屋）、書斎などのような機能的な生活空間が容易に得られる。ここで展開というのは、ベッド収納枠体やデスク収納枠体に収納していたベッドやデスクを引出して使用状態にすることをいう。
【００２３】
ベッド収納枠体とデスク収納枠体との連結は、閉じた場合にベッド収納面とデスク収納面とが密着するように連接してもよいし、両者が背中合わせに密着するように連接してもよいが、以下の説明では、ベッド収納面とデスク収納面とを密着状態で閉じることのできるように両収納枠体を連結した構成とする。
【００２４】
また、上記二種類の収納枠体（ベッド収納枠体とデスク収納枠体）を、両者間に配設した枢支部を介して可動しやすくするために、また全体の場所移動をより容易にするために、各収納枠体の下面に転動輪を取付けることができる。かかる構成により、誰でもが２つの収納枠体を容易に動かすことができる。また、２つの収納枠体を重合状態にした場合、コンパクトになって場所の移動なども極めて容易となる。
【００２５】
また前記ベッドとデスクの少なくともいずれか一方を、自動的に収納・展開する駆動手段を設けることもできる。例えば家庭用電源と接続可能な電動モータなどで駆動するアクチュエータを駆動手段とし、スイッチ操作のみでベッドやデスクを収納・展開するのである。操作スイッチは前記収納枠体のいずれか一方に配設しておくとよい。したがって、女性や老齢者などの力のない者でも取扱いが極めて容易となる。
【００２６】
ところで、前記ベッドとデスクの取付けは、以下のようにしておくことが望ましい。
【００２７】
すなわち、前記ベッドの基端をベッド収納枠体の下側位置に枢支連結するとともに、デスクの基端をデスク収納枠体の高さ方向で略中央位置に枢支連結するものである。なお、ベッドは二つ折り可能とし、二つ折り状態で収納できる空間をベッド収納枠体に設けておく。
【００２８】
上記構成により、前記ベッド収納枠体とデスク収納枠体とを略互いに直交するように配置したときに、展開したベッドの上方に、所定間隔をあけてデスクを配置可能することができる。
【００２９】
ベッドとデスクとの使用時の位置関係を上述のとおりにすると、使用者はベッドに座してデスクを利用することができ、狭い室内空間の有効利用が図れるとともに、デスクワークの後にそのまま移動することなく就寝することができるので機能的な利便性にも富むものとなる。
【００３０】
さらに、前記ベッド収納枠体のベッドと対向する面、若しくはデスク収納枠体のデスクと対向する面の少なくともいずれか一方に、テーブルを収納・展開自在に取付けることができる。
【００３１】
前記テーブルは、ベッド若しくはデスクとは反対側に位置するので、例えばベッド収納枠体とデスク収納枠体とを重合密着させた状態で配置していてもテーブルの利用はでき、またベッド収納枠体とデスク収納枠体とが開いた状態で配置している場合は、ベッド、デスク、テーブルそれぞれを独立して使用することができる。テーブルはダイニングテーブルとしても利用できるので、生活空間の有効利用を図る上できわめて有益である。
【００３２】
さらに、前記各収納枠体に、それぞれ収納棚部を設けることができる。したがって、本実施の形態に係る可動家具を室内に配設するだけで、収納スペースの少ない単純な空間においても居住空間として十分に利用できる。なお、この場合の空間は室内のみならず、例えば車などの内部空間であってもよい。
【００３３】
また、他の実施の形態として、以下の構成とすることもできる。
【００３４】
すなわち、ベッド収納枠体あるいはデスク収納枠体の両端部に、他の収納枠体を枢支部を介して水平方向へそれぞれ回動自在に連結し、他の収納枠体それぞれを、前記ベッド収納枠体あるいはデスク収納枠体に対して対向密着した状態から１８０度開いた状態まで可動自在としたもので、他の収納枠体をあたかも観音開きのようにして可動させることができ、より多機能な可動家具となすことができる。
【００３５】
この場合、前記２つの他の収納枠体のうち少なくとも一方は、ベッド収納枠体若しくはデスク収納枠体とするとよい。したがって、ベッド若しくはデスクをダブルあるいはトリプルで使用できるようなる。さらに、例えばベッド収納枠体の一側にデスク収納枠体を設け、他側に冷蔵庫などの生活必需品を収納した雑物収納枠体を設けると、本可動家具を設置するだけで、単なる空間が利便性の高い居住空間に即座に生まれ変わる。このとき、ベッド収納枠体に連接するデスク収納枠体と雑物収納枠体とのそれぞれの幅は２つ併せてベッド収納枠体と同幅となるようにしておくとよい。
【００３６】
また、例えばベッド収納枠体の両側にデスク収納枠体を設け、略コ字状にレイアウトした場合、中央のベッド上に左右に対峙するデスク収納枠体からそれぞれ展開したデスクを付き合わせて２倍の広さのデスクとして使用することも可能となる。勿論、前述してきた以外に各収納枠体の組合わせは利用環境に応じて適宜設定することができる。
【００３７】
【実施例】
以下、本発明に係る可動家具の実施例を、図面を参照しながら具体的に説明する。
（第１実施例）
図１は本実施例に係る可動家具の畳んだ状態を示す斜視図、図２は同平面図、図３は同可動家具を９０度開いた状態の斜視図、図４は同状態でデスクを使用状態にした斜視図、図５は同平面図、図６は同正面図、図７は同側面図である。
【００３８】
図１及び図２に示するように、可動家具Ａは、ベッド１０（図３〜図１０参照）を収納・展開自在に設けたベッド収納枠体１と、デスク２０（図３〜図１０参照）を収納・展開自在に設けたデスク収納枠体２とから構成している。
【００３９】
両収納枠体１，２は、それぞれ所定高さＨと所定幅Ｗと所定奥行きＤ１，Ｄ２とからなる矩形箱状に形成されており、一側側面の端縁同士を蝶番からなる枢支部３を介して設置床面に対して水平方向へ回動自在に連結している。すなわち、前記枢支部３を介して、両収納枠体１，２を互いに対向密着させた状態から１８０度開いた状態まで可動自在とし、収納枠体１，２を開くと、それぞれベッド１０やデスク２０の収納面であり、かつ多様な収納部を備えた主機能面が現れるように構成している。なお、本実施例では、両収納枠体１，２を閉じたときにベッド収納面とデスク収納面とが密着するように連接しているが、両者が背中合わせに密着するように連接することもできる。
【００４０】
各収納枠体１，２の下面四隅に転動輪としてのキャスタ４を取付けており、図示するように両収納枠体１，２を重合状態に畳んでコンパクトにした状態では本可動家具Ａ全体を容易に移動することができるとともに、前述したように、両収納枠体１，２を前記枢支部３を介して水平方向へ回動させることも容易としている。
【００４１】
また、本実施例では、ベッド収納枠体１のベッド１０と対向する面に、テーブル５を収納・展開自在に取付けている。すなわち、テーブル５の基端部をベッド収納枠体１に回動自在に枢支連結して、使用しない状態では起立状態でベッド収納枠体１に収納可能としている。５１は折畳み自在のテーブル脚、５２はテーブル用補強体である。なお、このテーブル５をデスク収納枠体２のデスク２０と対向する面に設けるようにしてもよい。
【００４２】
図３に収納枠体１，２を９０度開いた状態を示している。図示するように、ベッド収納枠体１の主機能面には折畳み・展開可能なベッド１０を収納するベッド収納部１１と、同ベッド収納部１１の上部に飾り棚部１２とを設けている。ベッド１０は、その基端をベッド収納枠体１の下側位置に枢支連結している。なお、前記飾り棚部１２は必要に応じて仕切りを設けたり、ガラス枠などを嵌め込んだり、適宜設計変更することは可能である。本実施例では、飾り棚部１２の左右側に音響装置用のスピーカー１３を組込んでいる。図中、１４はベッド収納部１１と飾り棚部１２とを仕切る仕切板１５の下面に取付けた蛍光灯である。
【００４３】
他方、デスク収納枠体２の主機能面には、その略上半部の左右にデスク２０を傾動自在に収納するデスク収納部２１と収納棚部２２とを設け、下方部には引出し２３、さらにその下方部に就寝具収納部２４を設けている。前記収納棚部２２は上下複数段に仕切り、本棚として利用可能な他、電話、ＡＶ（オーディオ・ビジュアル）装置などや、後述する電装部６を収納可能としている。また、前記就寝具収納部２４は、ベッド１０で用いるシーツや毛布、布団などを収納することができる。
【００４４】
前記デスク２０はその基端をデスク収納枠体２の高さ方向で略中央位置に枢支連結している。すなわち、図４〜図７に示すように、左右の基端を枢支連結した揺動アーム２０ａ，２０ａを介してデスク収納面に起立状態で取付けられており、手前に傾動させて使用状態とすることができる。また、本実施例では、デスク収納部２１に内部収納空間２１ａを形成しており、テレビやパソコン２５などを収納可能としている。したがって、デスク２０が内部収納空間２１ａの蓋としての機能を果たし、デスク２０を使用状態とした場合に内部収納空間２１ａが現れて前記パソコン２５などの収納物の利用が可能となる。２６は前記内部空間２１ａからデスク２０上まで水平に回転移動する載置台であり、同載置台２６上に前記パソコン２５を載置して、枢軸２６ａ（図５参照）を中心にディスプレイなどを見やすい位置に回転移動することができる。２７は内部収納空間２１ａの上部に設けた本棚、２８はデスクワーク用の椅子である。
【００４５】
図８〜図１０は、ベッド１０、デスク２０、テーブル５を使用状態とした場合の可動家具Ａの説明図である。図中、５３はテーブル用椅子である。
【００４６】
図示するように、ベッド収納枠体１とデスク収納枠体２とを略９０度で開いたＬ字状にレイアウトし、ベッド１０、デスク２０、テーブル５をそれぞれ展開して同時に使用できるようにしている。このとき、展開したベッド１０の上方に、所定間隔をあけてデスク２０を配置することが可能である。したがって、図示するようにベッド１０を椅子代わりに用いることができ、しかも、ベッド１０をリクライニング可能なタイプとすれば背もたれとなるので、きわめて楽な姿勢でのデスクワークが可能となる。眠る場合もそのままベッド１０を倒して休むことができる。
【００４７】
なお、ベッド１０は、基端をベッド収納部１１内に枢支連結し、山折り状に折畳むことのできるフレーム１０ａと、同フレーム１０ａ上に載置したマット部１０ｂとからなる。１０ｃはフレーム１０ａに連結したベッド脚であり、キャスタ４を備えている。１０ｄはベッド１０を展開した際に中央部を支持するための脚フレームである。
【００４８】
前述した構成からなる多機能な本可動家具Ａを、例えばワンルームマンションなどに設置して、前述したレイアウトで用いると、狭い室内空間であっても利便性の高い生活空間の構築が容易に行える。すなわち、テーブル５を用いて食事ができ、ベッド１０を用いて就寝することができ、デスク２０を用いての様々なデスクワークを行えるという生活環境が、本可動家具Ａを配置するだけで整うのである。
【００４９】
また、前述したベッド１０やデスク２０は、少なくともいずれか一方を、自動的に収納・展開可能できるように、駆動手段を設けることができる。すなわち、家庭用電源と接続可能な電動モータ（図示せず）により駆動するアクチュエータ（図示せず）を駆動手段として、スイッチ操作のみでベッド１０やデスク２０を収納・展開可能とするのである。収納・展開用の操作スイッチとしては、例えばデスク収納枠体２に設けた前記電装部６に設けておくとよい。この電装部６は、前述したパソコン２５、あるいはその他必要に応じて配設した家電製品や照明などの操作も集中して行えるようにしている。
【００５０】
本可動家具Ａは、設置空間にあわせて、あるいは好みによって使用者が自由に決定することができ、図１０に示すように、ベッド収納枠体１とデスク収納枠体２とを、１８０度開いた略Ｉ字状（直線状）となるようにレイアウトして使用することができる。この場合、ベッド１０とデスク２０とは平行に配置されることになる。
【００５１】
またキャスタ４を備えて可動式としているので、前述したＬ字状のレイアウトからこのＩ字状のレイアウトへの変更（その逆の変更も含む）も容易であり、部屋の模様替えなども手軽に行える。
【００５２】
（第２実施例）
次に、図１１〜図１９を参照しながら第二実施例に係る可動家具Ａについて説明する。本実施例に係る可動家具Ａは、ベッド収納枠体１の両端部に他の収納枠体を回動自在に連結したものである。ここでは、他の収納枠体として２つのデスク収納枠体２，２を枢支部３を介して水平方向へそれぞれ回動自在に連結し、前記デスク収納枠体２，２を、それぞれ前記ベッド収納枠体１に対して対向密着した状態から１８０度開いた状態まで可動自在としたもの、すなわち、２つのデスク収納枠体２，２をあたかも観音開きのようにして可動させることができるようにしたものとしている。
【００５３】
図１１はこの第２実施例に係る可動家具Ａにあって、２つのデスク収納枠体２，２が閉じた状態の平面図、図１２は両デスク収納枠体２，２が開いた状態の平面図である。なお、図中使用する符号は先の実施例と同一構成要素については同一符号を用いた。
【００５４】
本可動家具Ａはベッド１０やデスク２０を使用せずに格納した状態では図１１に示すように、ベッド収納枠体１の幅でコンパクトになり、デスク２０を使用する場合は、左右いずれかのデスク収納枠体２、あるいは必要に応じて図１２に示すように両デスク収納枠体２，２を９０度若しくは１８０度に開いて使用する。
【００５５】
図１３及び図１４にベッド１０及びデスク２０，２０を使用状態とした平面図を示しており、図１３に示す使用例では、デスク収納枠体２，２を１８０度開いて可動家具Ａを略Ｉ字状に使用した場合、図１４に示す使用例ではデスク収納枠体２，２をを９０度開いて可動家具Ａを略コ字状に使用した場合を示す。
【００５６】
図１３に示した使用例では、ベッド１０の左右にデスク２０がそれぞれ平行して配置される。一方、図１４に示した使用例では、ベッド１０の基端側の上方に左右のデスク２０，２０が突き合わされた状態で配置され、２倍の面積を有するデスク２０としての使用が可能となり、使用者はベッド１０を椅子代わりにして広い面積を利用してのデスクワークが可能となる。
【００５７】
この第二実施例においても、ベッド収納枠体１あるいはデスク収納枠体２の背面にテーブル５を収納・展開自在に設けることができる。
【００５８】
次に、ベッド収納枠体１の両側に枢支部３を介して回動自在に連結した他の収納枠体として、デスク収納枠体２と、これよりも小型の雑物収納枠体７とした例を、図１５〜図１９を参照しながら説明する。雑物収納枠体７は、ベッド１０やデスク２０以外の生活必需品などを収納しておくことができ、例えば冷蔵庫８（図１８参照）などを好適に収納して利用することができる。
【００５９】
図１５はデスク収納枠体２と雑物収納枠体７が閉じた状態の平面図、図１６は両収納枠体２，７が開いた状態の平面図である。この場合も、可動家具Ａはベッド１０やデスク２０、あるいは冷蔵庫８を使用せずに格納した状態では図１５に示すように、ベッド収納枠体１の幅でコンパクトになり、デスク２０や冷蔵庫８を使用する場合は、デスク収納枠体２あるいは雑物収納枠体７、あるいは必要に応じてデスク収納枠体２と雑物収納枠体７とを９０度、若しくは図１６に示すように１８０度に開いて使用する。
【００６０】
図１７及び図１９にベッド１０、デスク２０及び冷蔵庫８を使用状態とした平面図を、図１８に同斜視図を示しており、図１７及び図１８に示す使用例では、デスク収納枠体２と雑物収納枠体７とを１８０度開いて可動家具Ａを略Ｉ字状に使用した場合、図１９に示す使用例ではデスク収納枠体２及び雑物収納枠体７をそれぞれ９０度開いて可動家具Ａを略コ字状に使用した場合を示す。
【００６１】
図１７及び図１８に示した使用例では、ベッド１０の左側にデスク２０が、右側には冷蔵庫８が配置される。この例では、雑物収納枠体７の内部空間の下半部に冷蔵庫８を収納し、上半部には収納棚部７１を設け、適宜必要品を収納可能としている。
【００６２】
一方、図１９に示した例では、ベッド１０の基端側の上方にデスク２０が配置され、ベッド１０の右側には、開口面をベッド１０側に向けて雑物収納枠体７が配置されている。この場合、例えば冷蔵庫８を収納するのであれば、雑物収納枠体７の内部空間の上半部に収納しておくとベッド１０が邪魔になることなく利用できる。雑物収納枠体７を１８０度開いた状態で使用しても構わない。また、この例では、デスク収納枠体２の背面にテーブル５を収納・展開自在に取付け、必要に応じてテーブル５を展開して利用することもできる。同様に、雑物収納枠体７の背面にもテーブル５を収納しておき、サイドテーブルとして利用することも可能である。
【００６３】
このように、本実施例ではベッド収納枠体１の両側に他の収納枠体を回動自在に枢支連結したことで、第１の実施例に係る可動家具Ａに対してサイズは同等でありながら、より多機能な可動家具Ａとして使用することができる。
【００６４】
（第３実施例）
図２０に第３実施例に係る可動家具Ａを示す。ここでは、本可動家具Ａを配設する空間を自動車Ｃの車内空間Ｂとしている。
【００６５】
すなわち、図示するように、所謂ワンボックスカーなどのような自動車Ｃであれば、二列目シートや三列目シートを取り外すなどして形成した車内空間Ｂ内に可動家具Ａを配設することができる。したがって、簡易的なキャンピングカーのような使用もできるし、移動可能な部屋として有効利用が図れる。
【００６６】
【発明の効果】
本発明は上記のような形態で実施されるもので、以下の効果を奏する。
【００６７】
（１）請求項１記載の本発明では、ベッドを収納・展開自在に設けたベッド収納枠体と、デスクを収納・展開自在に設けたデスク収納枠体とを、枢支部を介して水平方向へ回動自在に連結し、両収納枠体を互いに対向密着させた状態から１８０度開いた状態まで可動自在とした。したがって、狭い空間内であっても通常は空間を最大限に利用しながら必要な機能を必要なときに利用することができる一方、ベッド、デスクいずれも展開した状態に維持してベッドとデスクとが備えられた部屋となすことができ、たとえば子供部屋（勉強部屋）、書斎などのような機能的な生活空間が容易に得られる。
【００６８】
（２）請求項２記載の本発明では、ベッド収納枠体あるいはデスク収納枠体の両端部に、他の収納枠体を枢支部を介して水平方向へそれぞれ回動自在に連結し、他の収納枠体それぞれを、前記ベッド収納枠体あるいはデスク収納枠体に対して対向密着した状態から１８０度開いた状態まで可動自在とした。したがって、より多機能な可動家具として利用することができる。
【００６９】
（３）請求項３記載の本発明では、前記２つの他の収納枠体のうち少なくとも一方は、ベッド収納枠体若しくはデスク収納枠体としたために、ベッド若しくはデスクをダブルあるいはトリプルで使用できる。
【００７０】
（４）請求項４記載の本発明では、前記各収納枠体の下面に転動輪を取付けたために、可動家具全体の移動や各収納枠体の開閉動作も容易となる。
【００７１】
（５）請求項５記載の本発明では、前記ベッドとデスクの少なくともいずれか一方を、自動的に収納・展開する駆動手段を具備することとしたために、力のない女性や老齢者であっても本可動家具を容易に使用することができる。
【００７２】
（６）請求項６記載の本発明では、前記ベッドの基端をベッド収納枠体の下側位置に枢支連結するとともに、デスクの基端をデスク収納枠体の高さ方向で略中央位置に枢支連結したために、展開したベッドの上方に、所定間隔をあけてデスクを配置可能することができ、狭い空間を有効利用することができる。
【００７３】
（７）請求項７記載の本発明では、前記ベッド収納枠体とデスク収納枠体とを、略互いに直交するように配置し、展開したベッドの上方に、所定間隔をあけてデスクを配置可能としたために、使用者はベッドに座してデスクを利用することができ、狭い室内空間の有効利用が図れるとともに、デスクワークの後にそのまま移動することなく就寝することができるので機能的な利便性にも富むものとなる。
【００７４】
（８）請求項８記載の本発明では、前記ベッド収納枠体のベッドと対向する面、若しくはデスク収納枠体のデスクと対向する面の少なくともいずれか一方に、テーブルを収納・展開自在に取付けたために、テーブルをダイニングテーブルとして利用するなど、生活空間をより有効に利用することができる。
【００７５】
（９）請求項９記載の本発明では、前記各収納枠体に、それぞれ収納棚部を設けたために、収納スペースの少ない単純な空間であっても利便性の高い生活空間となすことができる。
【図面の簡単な説明】
【図１】第１実施例に係る可動家具の畳んだ状態を示す斜視図である。
【図２】同平面図である。
【図３】同可動家具を９０度開いた状態の斜視図である。
【図４】同状態でデスクを使用状態にした斜視図である。
【図５】同平面図である。
【図６】同正面図である。
【図７】同側面図である。
【図８】ベッド、デスク、テーブルを使用状態とした場合の可動家具の説明図である。
【図９】ベッド、デスク、テーブルを使用状態とした場合の可動家具の説明図である。
【図１０】ベッド、デスク、テーブルを使用状態とした場合の可動家具の説明図である。
【図１１】第２実施例に係る可動家具にあって、２つのデスク収納枠体が閉じた状態の平面図である。
【図１２】両デスク収納枠体が開いた状態の平面図である。
【図１３】第２実施例に係る可動家具にあって、ベッド及びデスクを使用状態とした一例を示す平面図である。
【図１４】第２実施例に係る可動家具にあって、ベッド及びデスクを使用状態とした一例を示す平面図である。
【図１５】第２実施例に係る可動家具にあって、デスク収納枠体と雑物収納枠体が閉じた状態の平面図である。
【図１６】同可動家具にあって、両収納枠体が開いた状態の平面図である。
【図１７】同可動家具にあって、ベッド、デスク及び冷蔵庫を使用状態とした一例を示す平面図である。
【図１８】同可動家具にあって、ベッド、デスク及び冷蔵庫を使用状態とした一例を示す斜視図である。
【図１９】同可動家具にあって、ベッド、デスク、冷蔵庫、必要に応じてテーブルを使用状態とした一例を示す平面図である。
【図２０】第３実施例に係る可動家具の説明図である。
【符号の説明】
Ａ  可動家具
１  ベッド収納枠体
２  デスク収納枠体
３  枢支部
４  転動輪
５  テーブル
７  雑物収納枠体
１０  ベッド
２０  デスク
【図１】
2004248936.tif 000003
【図２】
2004248936.tif 000004
【図３】
2004248936.tif 000005
【図４】
2004248936.tif 000006
【図５】
2004248936.tif 000007
【図６】
2004248936.tif 000008
【図７】
2004248936.tif 000009
【図８】
2004248936.tif 000010
【図９】
2004248936.tif 000011
【図１０】
2004248936.tif 000012
【図１１】
2004248936.tif 000013
【図１２】
2004248936.tif 000014
【図１３】
2004248936.tif 000015
【図１４】
2004248936.tif 000016
【図１５】
2004248936.tif 000017
【図１６】
2004248936.tif 000018
【図１７】
2004248936.tif 000019
【図１８】
2004248936.tif 000020
【図１９】
2004248936.tif 000021
【図２０】
2004248936.tif 000022